【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
複数の予測符号化された画像を含んでいるビデオのセグメントをトリック・モードで再生する方法であって、
（ａ）前記複数の予測画像から予測画像の一部を復号化するステップと、
（ｂ）メモリ内に記憶された情報の一部を前記予測画像で更新するステップと、
を特徴とする、前記ビデオのセグメントをトリック・モードで再生する方法。
【請求項２】
前記トリック・モードでの再生の間、前記ステップ（ａ）および前記ステップ（ｂ）を繰り返すステップを特徴とし、所定数の後続する各予測画像の一部が復号化され、これを使用して、前記メモリ内に記憶された情報の後続する一部を更新する、請求項１記載のビデオのセグメントをトリック・モードで再生する方法。
【請求項３】
前記後続する各予測画像が、前記予測画像の後に記録されることを特徴とする、請求項２記載のビデオのセグメントをトリック・モードで再生する方法。
【請求項４】
前記後続する各予測画像が、前記予測画像より前に記録されることを特徴とする、請求項２記載のビデオのセグメントをトリック・モードで再生する方法。
【請求項５】
前記ステップ（ｂ）が、前記メモリ内に記憶された情報の一部を専ら前記予測画像の一部で更新するステップを特徴とする、請求項１記載のビデオのセグメントをトリック・モードで再生する方法。
【請求項６】
前記復号化される予測画像の一部が、前記メモリ内の更新されている情報の一部と実質的に直接対応することを特徴とする、請求項５記載のビデオのセグメントをトリック・モードで再生する方法。
【請求項７】
前記ビデオのセグメントが、イントラ（Ｉｎｔｒａ）画像を少しも含まないＭＰＥＧのビデオ・セグメントであり、前記複数の各予測画像が、イントラ・マクロブロックを含むことを特徴とする、請求項６記載のビデオのセグメントをトリック・モードで再生する方法。
【請求項８】
前記予測画像の一部が、イントラ・マクロブロックで構成されることを特徴とする、請求項７記載のビデオのセグメントをトリック・モードで再生する方法。
【請求項９】
前進する方向における速い動きのトリック・モードの再生速度が、３Ｘよりも大であることを特徴とする、請求項１記載のビデオのセグメントをトリック・モードで再生する方法。
【請求項１０】
前記メモリ内に記憶された情報が、画像であることを特徴とする、請求項１記載のビデオのセグメントをトリック・モードで再生する方法。
【請求項１１】
前記メモリ内に記憶された画像が、最初は正しく復号化された画像であることを特徴とする、請求項１０記載のビデオのセグメントをトリック・モードで再生する方法。
【請求項１２】
複数の予測画像を含んでいるビデオのセグメントをトリック・モードで再生するためのシステムであって、
情報を記憶するためのメモリと、
ビデオ・プロセッサと、
を含み、
前記ビデオ・プロセッサは、
（ａ）前記複数の予測画像から予測画像の一部を復号化するステップと、
（ｂ）前記メモリ内に記憶された情報の一部を、前記予測画像の一部で更新するステップと、
を実行するようにプログラムされる、前記ビデオのセグメントをトリック・モードで再生するシステム。
【請求項１３】
前記トリック・モードでの再生の間、前記ステップ（ａ）および前記ステップ（ｂ）を繰り返すようビデオ・プロセッサがプログラムされることを特徴とし、所定数の後続する各予測画像の一部が復号化され、これを使用して、前記メモリ内に記憶された情報の後続する一部を更新する、請求項１２記載のビデオのセグメントをトリック・モードで再生するシステム。
【請求項１４】
前記後続する各予測画像が、前記予測画像の後に記録されることを特徴とする、請求項１３記載のビデオのセグメントをトリック・モードで再生するシステム。
【請求項１５】
前記後続する各予測画像が、前記予測画像より前に記録されることを特徴とする、請求項１３記載のビデオのセグメントをトリック・モードで再生するシステム。
【請求項１６】
前記ビデオ・プロセッサが、前記メモリ内に記憶された情報の一部を専ら前記予測画像の一部で更新するようプログラムされることを特徴とする、請求項１２記載のビデオのセグメントをトリック・モードで再生するシステム。
【請求項１７】
前記復号化される予測画像の一部が、前記メモリ内の更新されている情報の一部と実質的に直接対応することを特徴とする、請求項１６記載のビデオのセグメントをトリック・モードで再生するシステム。
【請求項１８】
前記ビデオのセグメントが、イントラ（Ｉｎｔｒａ）画像を少しも含まないＭＰＥＧのビデオ・セグメントであり、前記複数の各予測画像がイントラ・マクロブロックを含むことを特徴とする、請求項１７記載のビデオのセグメントをトリック・モードで再生するシステム。
【請求項１９】
前記予測画像の一部が、イントラ・マクロブロックで構成されることを特徴とする、請求項１８記載のビデオのセグメントをトリック・モードで再生するシステム。
【請求項２０】
前進する方向における速い動きのトリック・モードの再生速度が、３Ｘよりも大であることを特徴とする、請求項１２記載のビデオのセグメントをトリック・モードで再生するシステム。
【請求項２１】
前記メモリ内に記憶された情報が、画像であることを特徴とする、請求項１２記載のビデオのセグメントをトリック・モードで再生するシステム。
【請求項２２】
前記メモリ内に記憶された画像が、最初は正しく復号化された画像であることを特徴とする、請求項２１記載のビデオのセグメントをトリック・モードで再生するシステム。
【手続補正２】
【補正対象書類名】明細書
【補正対象項目名】発明の名称
【補正方法】変更
【補正の内容】
【発明の名称】ビデオのセグメントをトリック・モードで再生する方法およびシステム
【手続補正３】
【補正対象書類名】明細書
【補正対象項目名】００１０
【補正方法】変更
【補正の内容】
【００１０】
また、本発明は、複数の予測画像を含むビデオのセグメント（ｓｅｇｍｅｎｔ：一部分）をトリック・モードで再生するシステムに関する。具体的に言うと、このシステムは情報を記憶するメモリとビデオ・プロセッサとを具える。ビデオ・プロセッサは、複数の予測画像から第１の予測画像の一部分を復号化するようプログラムされ、且つメモリに記憶された情報の一部分を前記第１の予測画像の一部分で更新するようにプログラムされる。また、このシステムは、上述した方法を実施するのに適するソフトウェアおよび回路を具える。
特許請求の範囲と実施例との対応関係を実施例で使われている参照符号を用いて示すと以下の通りである。
（請求項１）
複数の予測符号化された画像を含んでいるビデオのセグメントをトリック・モードで再生する方法（２００）であって、
（ａ）前記複数の予測画像から予測画像の一部を復号化するステップ（２１２）と、
（ｂ）メモリ内に記憶された情報の一部を前記予測画像で更新するステップ（２１４）と、
を特徴とする、前記ビデオのセグメントをトリック・モードで再生する方法（２００）。
（請求項２）
前記トリック・モードでの再生の間、前記ステップ（ａ）および前記ステップ（ｂ）を繰り返すステップ（２１６）を特徴とし、所定数の後続する各予測画像の一部が復号化され、これを使用して、前記メモリ（１１６）内に記憶された情報の後続する一部を更新する、請求項１記載のビデオのセグメントをトリック・モードで再生する方法（２００）。
（請求項３）
前記後続する各予測画像が、前記予測画像の後に記録されることを特徴とする、請求項２記載のビデオのセグメントをトリック・モードで再生する方法（２００）。
（請求項４）
前記後続する各予測画像が、前記予測画像より前に記録されることを特徴とする、請求項２記載のビデオのセグメントをトリック・モードで再生する方法（２００）。
（請求項５）  
前記ステップ（ｂ）（２１４）が、前記メモリ（１１６）内に記憶された情報の一部を専ら前記予測画像の一部で更新するステップを特徴とする、請求項１記載のビデオのセグメントをトリック・モードで再生する方法（２００）。
（請求項６）
前記復号化される予測画像の一部が、前記メモリ内の更新されている情報の一部と実質的に直接対応することを特徴とする、請求項５記載のビデオのセグメントをトリック・モードで再生する方法（２００）。
（請求項７）
前記ビデオのセグメントが、イントラ（Ｉｎｔｒａ）画像を少しも含まないＭＰＥＧのビデオ・セグメントであり、前記複数の各予測画像が、イントラ・マクロブロックを含むことを特徴とする、請求項６記載のビデオのセグメントをトリック・モードで再生する方法（２００）。
（請求項８）
前記予測画像の一部が、イントラ・マクロブロックで構成されることを特徴とする、請求項７記載のビデオのセグメントをトリック・モードで再生する方法（２００）。
（請求項９）
前進する方向における速い動きのトリック・モードの再生速度が、３Ｘよりも大であることを特徴とする、請求項１記載のビデオのセグメントをトリック・モードで再生する方法（２００）。
（請求項１０）
前記メモリ（１１６）内に記憶された情報が、画像であることを特徴とする、請求項１記載のビデオのセグメントをトリック・モードで再生する方法（２００）。
（請求項１１）
前記メモリ（１１６）内に記憶された画像が、最初は正しく復号化された画像であることを特徴とする、請求項１０記載のビデオのセグメントをトリック・モードで再生する方法（２００）。
（請求項１２）
複数の予測画像を含んでいるビデオのセグメントをトリック・モードで再生するためのシステムであって、
情報を記憶するためのメモリ（１１６）と、
ビデオ・プロセッサ（１２０）と、
を含み、
前記ビデオ・プロセッサは、
（ａ）前記複数の予測画像から予測画像の一部を復号化するステップと、
（ｂ）前記メモリ内に記憶された情報の一部を、前記予測画像の一部で更新するステップと、
を実行するようにプログラムされる、前記ビデオのセグメントをトリック・モードで再生するシステム。
（請求項１３）
前記トリック・モードでの再生の間、前記ステップ（ａ）（２１２）および前記ステップ（ｂ）（２１４）を繰り返すようビデオ・プロセッサ（１２０）がプログラムされることを特徴とし、所定数の後続する各予測画像の一部が復号化され、これを使用して、前記メモリ（１１６）内に記憶された情報の後続する一部を更新する、請求項１２記載のビデオのセグメントをトリック・モードで再生するシステム（１００）。
（請求項１４）
前記後続する各予測画像が、前記予測画像の後に記録されることを特徴とする、請求項１３記載のビデオのセグメントをトリック・モードで再生するシステム（１００）。
（請求項１５）
前記後続する各予測画像が、前記予測画像より前に記録されることを特徴とする、請求項１３記載のビデオのセグメントをトリック・モードで再生するシステム（１００）。
（請求項１６）
前記ビデオ・プロセッサ（１２０）が、前記メモリ（１１６）内に記憶された情報の一部を専ら前記予測画像の一部で更新するようプログラムされることを特徴とする、請求項１２記載のビデオのセグメントをトリック・モードで再生するシステム（１００）。
（請求項１７）
前記復号化される予測画像の一部が、前記メモリ（１１６）内の更新されている情報の一部と実質的に直接対応することを特徴とする、請求項１６記載のビデオのセグメントをトリック・モードで再生するシステム（１００）。
（請求項１８）
前記ビデオのセグメントが、イントラ（Ｉｎｔｒａ）画像を少しも含まないＭＰＥＧのビデオ・セグメントであり、前記複数の各予測画像がイントラ・マクロブロックを含むことを特徴とする、請求項１７記載のビデオのセグメントをトリック・モードで再生するシステム（１００）。
（請求項１９）
前記予測画像の一部が、イントラ・マクロブロックで構成されることを特徴とする、請求項１８記載のビデオのセグメントをトリック・モードで再生するシステム（１００）。
（請求項２０）
前進する方向における速い動きのトリック・モードの再生速度が、３Ｘよりも大であることを特徴とする、請求項１２記載のビデオのセグメントをトリック・モードで再生するシステム（１００）。
（請求項２１）
前記メモリ（１１６）内に記憶された情報が、画像であることを特徴とする、請求項１２記載のビデオのセグメントをトリック・モードで再生するシステム（１００）。
（請求項２２）
前記メモリ内に記憶された画像が、最初は正しく復号化された画像であることを特徴とする、請求項２１記載のビデオのセグメントをトリック・モードで再生するシステム（１００）。